(57)【要約】【課題】内部に収容されるリレー装置の振動を抑制できるジャンクションボックスを提供する。【解決手段】ジャンクションボックス５は、電池２に関する電流の流れを制御するリレー装置と、リレー装置を内部に収容するボックスケース５０と、を有する。リレー装置には、電池２の正極側に接続される正極側のメインリレー５１０、電池２の負極側に接続される負極側のメインリレー５１１、及びプリチャージ用のプリチャージリレー５１２の少なくとも一つが含まれる。ボックスケース５０は、所定の台座部材３１に固定される筐体である。上記のリレー装置は、ボックスケース５０に接触しないで台座部材３１に固定される。【選択図】図４
2015012627.tif 000002
【特許請求の範囲】
【請求項１】
電池（２）に関する電流の流れを制御するリレー装置（５１０，５１１，５１２）と、前記リレー装置を内部に収容するボックスケース（５０）と、を有するジャンクションボックス（５）であって、
前記ボックスケースは、所定の台座部材（３１；３１Ａ）に固定される筐体であり、
前記リレー装置は、前記ボックスケースに接触しないで前記台座部材に固定されることを特徴とするジャンクションボックス。
【請求項２】
前記リレー装置は、前記電池の正極側に接続される正極側リレー（５１０）、前記電池の負極側に接続される負極側リレー（５１１）、及びプリチャージ用のプリチャージリレー（５１２）の少なくとも一つを含むことを特徴とする請求項１に記載のジャンクションボックス。
【請求項３】
前記台座部材には、複数個の貫通穴（３１１，３１２）が設けられており、
前記台座部材は、前記複数個の貫通穴によって、前記貫通穴の総開口面積が他のエリアよりも小さい高剛性エリア（３３Ｈ）と、前記他のエリアに相当し前記高剛性エリアよりも剛性が低い低剛性エリア（３３Ｌ）とを含むように構成され、
前記リレー装置は、前記高剛性エリアに固定されることを特徴とする請求項１または請求項２に記載のジャンクションボックス。
【請求項４】
前記台座部材には、複数個の貫通穴（３１１Ａ）が設けられており、
前記台座部材は、絞り加工が施されることにより他のエリアよりも剛性が高い高剛性エリア（３３Ｈ）と、前記他のエリアに相当し前記高剛性エリアよりも剛性が低い低剛性エリア（３３Ｌ）とを含むように構成され、
前記リレー装置は、前記高剛性エリアに固定されることを特徴とする請求項１または請求項２に記載のジャンクションボックス。
【請求項５】
前記貫通穴は、前記リレー装置を冷却する空気が前記ボックスケースの内部に流入するときに通る入口部であることを特徴とする請求項３または請求項４に記載のジャンクションボックス。
【請求項６】
前記貫通穴は、バーリング加工により前記台座部材に形成された穴部であることを特徴とする請求項３ないし請求項５のいずれか一項に記載のジャンクションボックス。
【請求項７】
前記リレー装置は、前記電池の正極側に接続される正極側リレー（５１０）、前記電池の負極側に接続される負極側リレー（５１１）、及びプリチャージ用のプリチャージリレー（５１２）のすべてを含むことを特徴とする請求項１に記載のジャンクションボックス。
【請求項８】
前記電池に蓄電された電力を走行駆動動力として用いる車両に搭載されることを特徴とする請求項１ないし請求項７のいずれか一項に記載のジャンクションボックス。
【発明の詳細な説明】
【技術分野】
【０００１】
本発明は、電池に関わる電流を制御する電子部品が収容されるジャンクションボックスに関する。
【背景技術】
【０００２】
特許文献１には、システムメインリレー等のリレー装置を内蔵するジャンクションボックスが開示されている。このようなジャンクションボックスは、ハイブリッド自動車等に配されるモータ駆動装置のオン、オフを制御する装置である。
【先行技術文献】
【特許文献】
【０００３】
【特許文献１】特開２００９−１８９２２１号公報
【発明の概要】
【発明が解決しようとする課題】
【０００４】
特許文献１のようなジョンクションボックスは、リレー装置を収容するボックスケースが何らかのベース部材に固定される。当該ベース部材は、電池を収容する電池ケースであったりする。このベース部材が振動するような場合、この振動がボックスケースに伝わることがある。ボックスケースは、ベース部材に比べて大型な部品ではないため、ケース全体が振動したり、ケースが局所的に大きく振動したりしやすい。このようなことが起こると、ベース部材自体の振動がボックスケースによって増幅されてしまうことがある。この場合、ボックスケースによって増幅されたベース部材の振動が、ボックスケースに取り付けられたリレー装置に伝搬し、リレー装置の誤動作、破損等を引き起こすという問題がある。
【０００５】
そこで、本発明は、上記点に鑑み、内部に収容されるリレー装置の振動を抑制できるジャンクションボックスを提供することを目的とする。
【課題を解決するための手段】
【０００６】
本発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、本発明の技術的範囲を限定するものではない。
【０００７】
開示された発明のひとつは、電池（２）に関する電流の流れを制御するリレー装置（５１０，５１１，５１２）と、リレー装置を内部に収容するボックスケース（５０）と、を有するジャンクションボックス（５）に係る発明であって、
ボックスケースは、所定の台座部材（３１；３１Ａ）に固定される筐体であり、リレー装置は、ボックスケースに接触しないで台座部材に固定されることを特徴とする。
【０００８】
この発明によれば、リレー装置はボックスケースを介さないで台座部材に固定され、ボックスケースに接触しない状態で固定される。これにより、ボックスケースが振動するような状況であっても、その振動はリレー装置には伝わらない。さらに、台座部材が振動する状況であっても、リレー装置には台座部材を通じて振動が伝わるが、台座部材の振動を受けて振動しうるボックスケースから、リレー装置に対して振動は伝搬しない。したがって、ボックスケースによって増幅された台座部材の振動が、リレー装置に伝わることを回避できるので、リレー装置の誤動作、破損等を抑止することができる。以上より、本発明によれば、内部に収容されるリレー装置の振動を抑制できるジャンクションボックスを提供できる。
【図面の簡単な説明】
【０００９】
【図１】第１実施形態のジャンクションボックス及び電池に関する結線図である。
【図２】ジャンクションボックスの平面図である。
【図３】図２のIII−III断面の矢視図である。
【図４】台座部材と、リレー装置及びボックスケースとの固定に係る構成を説明するための概要図である。
【図５】ジャンクションボックス内の電子部品及び電池を冷却する空気の経路を示した概要図である。
【図６】パックケース内に収容される電池、電池管理ユニット、ジャンクションボックス、送風機の位置関係を説明するための概要図である。
【図７】台座部材に固定したジャンクションボックスについて、カバーを取り外した状態を示した平面図である。
【図８】図７に示す状態から、リレー装置を取り外した状態を示した平面図である。
【図９】台座部材における、高剛性エリアと低剛性エリアを示した平面図である。
【図１０】台座部材に固定した第２実施形態のジャンクションボックスについて、カバーを取り外した状態を示した平面図である。
【図１１】台座部材における、高剛性エリアと低剛性エリアを示した平面図である。
【図１２】図１０のXII−XII断面の矢視図にカバーを図示した断面図である。
【発明を実施するための形態】
【００１０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示していなくても実施形態同士を部分的に組合せることも可能である。
【００１１】
（第１実施形態）
本発明を適用した第１実施形態について、図１〜図９を参照して説明する。この実施形態のジャンクションボックス５は、単電池である電池２を複数個搭載する各種の電気機器に適用することができる。ジャンクションボックス５は、具備する部品をパッキングした形態とする電池パックの一つの部品として用いられる。電池パックは、複数個の電池２と、電池２と電気的に接続される各種電子部品と、電池管理ユニット４と、電池２及び電子部品を冷却する装置と、を備える。
【００１２】
各種電気機器は、蓄電池を有する装置、コンピュータ、車両等である。その一例として、ジャンクションボックス５は、電池２に蓄電された電力を走行駆動動力として用いる車両に搭載することができる。当該車両は、例えば、内燃機関と電池駆動モータとを組み合わせて走行駆動源とするハイブリッド自動車、モータを走行駆動源とする電気自動車等である。
【００１３】
電池２は、例えばニッケル水素二次電池、リチウムイオン二次電池、有機ラジカル電池である。電池２は、外装ケースから外部に突出する正極端子及び負極端子を備える。外装ケースから露出する電極端子であって、隣り合う電池２における異極の端子間は、バスバー等の導電部材によって電気的に接続される。バスバーと電極端子との接続は、例えばネジ締めや、超音波溶接により行われる。したがって、バスバー等によって電気的に接続された複数個の電池２の両端に配された総端子部には、電力が供給されたり、他の電気機器へ向けて放電されたりする。
【００１４】
電池パックは、さらに電池２を収容する電池ケース３と、電池２と電気的に接続されて電流制御に関わる電子部品を内部に有するジャンクションボックス５と、各部を冷却する空気を流す送風機６と、を備える。図５及び図６に示すように、電池ケース３、ジャンクションボックス５、電池管理ユニット４、及び送風機６は、パックケース２０の内部に設けられている。
【００１５】
各種の電子部品には、図１の結線図に図示する、各種のリレー装置、プリチャージ抵抗５１３、電流センサ５１４等が含まれる。リレー装置は、電池２２に関する電流の流れを制御する装置である。ボックスケース５０の内部には、リレー装置である、正極側のメインリレー、負極側のメインリレー、及びプリチャージリレーの少なくとも一つが収容される。この第１実施形態では、ボックスケース５０の内部に収容されるリレー装置は、正極側のメインリレー５１０、負極側のメインリレー５１１、プリチャージリレー５１２のすべてである。
【００１６】
図１に示すように、複数個の電池２に電気的に繋がる機器は、メインリレー５１０、メインリレー５１１、プリチャージリレー５１２、プリチャージ抵抗５１３、電流センサ５１４、正極側の出力端子５２０、負極側の出力端子５２１である。出力端子５２０は、複数個の電池２からなる電池スタックの正極側に位置し、インバータに接続される。出力端子５２１は、当該電池スタックの負極側に位置し、インバータに接続される。
【００１７】
メインリレー５１１は、電池スタックにおける負極側の総端子にバスバーを介して接続されるとともに、反対側で出力端子５２１にバスバーを介して接続されている。プリチャージリレー５１２とプリチャージ抵抗５１３は、バスバーを介して直列に接続されている。プリチャージリレー５１２及びプリチャージ抵抗５１３は、メインリレー５１０と並列に接続されている。
【００１８】
メインリレー５１０及びプリチャージリレー５１２の共通結線部分は、電池スタックにおける正極側の総端子にバスバーを介して接続されている。メインリレー５１０及びプリチャージ抵抗５１３の共通結線部分は、バスバーを介して接続されている。電流センサ５１４は、バスバーが電流センサ５１４のコア部を貫通可能な箇所に配置される。このように、各種の電子部品は、バスバーによって他の部品と電気的に接続されている。これらのメインリレーは、オンしたときに電池スタック全体が通電状態になり、オフしたときに電池スタック全体が非通電状態になる。
【００１９】
メインリレー５１０、５１１、プリチャージリレー５１２、プリチャージ抵抗５１３、及び電流センサ５１４は、ジャンクションボックス５を形成するボックスケース５０の内部に設けられている。電池管理ユニット４（Battery Management Unit）は、少なくとも電池２の蓄電量を管理する機器であり、電池２に係る制御を行う電池制御ユニットの一例である。また、電池管理ユニット４は、電池２に関する電流、電圧、温度を監視するとともに、電池２の異常、漏電異常等を管理する機器であってもよい。電池管理ユニット４は、車両に搭載された各種の電子制御装置と通信可能に構成されている。電池管理ユニット４には、電流センサ５１４によって検出された電流値に係る信号が入力される。電池管理ユニット４は、メインリレー５１０、５１１、及びプリチャージリレー５１２の作動を制御するものであってもよい。
【００２０】
図５及び図６に示すように、電池ケース３は、複数個の電池２が収容される電池収容空間を形成する筐体であり、電池収容ケースである。電池ケース３は、電池２を冷却する空気が流通する電池冷却通路３０を内部に有する。電池冷却通路３０は、電池２の外装ケース、電極端子、バスバー等に接触する空気が流れる通路であり、例えば、単電池間に設けた通路である。
【００２１】
電池ケース３には、外部から空気が流入する流入通路３０１と、電池冷却通路３０を流れた空気が流出する流出通路３１１とが設けられている。流入通路３０１は、パックケース２０の開口部２０１とダクト２００によって連結されるため、パックケース２０の外部と連通する。したがって、流出通路３１１は、開口部２０１、流入通路３０１及び電池冷却通路３０を介してパックケース２０の外部と連通する連絡通路である。
【００２２】
図３に示すように、ボックスケース５０の内部には、電子部品が設けられる電子部品通路５３が形成されている。電子部品通路５３は、電池冷却通路３０とジャンクションボックス５の外部、すなわちボックスケース５０の外部とを連通させる通路である。電子部品通路５３は、接触して電子部品を冷却する空気が流通する電子部品冷却通路を構成する。電子部品通路５３と電池冷却通路３０は、台座部材３１を貫通して形成された流出通路３１１を介して繋がっている。
【００２３】
電池管理ユニット４及びジャンクションボックス５は、電池ケース３の上部に位置する台座部材３１に載置されている。リレー装置は、ボックスケース５０を介さないで、台座部材３１に固定されている。台座部材３１は、例えば、電池ケース３の天板部である。ジャンクションボックス５は、台座部材３１において、電池管理ユニット４よりも送風機６の吸込み部に近い位置に設けられている。
【００２４】
さらに、ジャンクションボックス５には、電子部品通路５３を流れてきた空気が外部に排出される空気排出部５３０が設けられている。空気排出部５３０は、ボックスケース５０の壁部を貫通する貫通口部であり、電子部品通路５３とボックスケース５０の外部とを連通させる。空気排出部５３０は、送風機６の吸込み部に隣接する位置に設けられている。空気排出部５３０は、送風機６の吸込み部に近接し、対面する位置に設けられることが好ましい。
【００２５】
電池管理ユニット４は、ジャンクションボックス５に対して、空気排出部５３０の反対側に位置するように設けられる。したがって、空気排出部５３０からボックスケース５０の外部に排出される空気は、隣接する送風機６の吸込み部に向かうので、反対側に位置する電池管理ユニット４に向かって流れることはない。
【００２６】
送風機６の本体部は、パックケース２０の内部に位置する。例えば、送風機６の吹出し部６１は、パックケース２０の外部に露出するように設けられている。したがって、送風機６を運転すると、吸込み部から吸い込まれた空気が吹出し部６１からパックケース２０の外部に排出されることになる。この吸引流により、パックケース２０の外部の空気は、開口部２０１、流入通路３０１を通じて電池冷却通路３０に流入し、電池冷却通路３０を流通する過程で複数個の電池２から吸熱して冷却する。複数個の電池２を冷却した後の空気は、流出通路３１１を通ってボックスケース５０内の電子部品通路５３に流入する。電子部品通路５３を流通する空気は、リレー装置等の各種の電子部品に接触してこれらを冷却した後、空気排出部５３０から流出し、吸込み部に吸い込まれる。
【００２７】
図２及び図３に図示するように、ボックスケース５０は、下部に位置するベース部５０２と、ベース部５０２を上方から部分的に覆うカバー部５０１とを一体に組み立てることにより、形成されている。ボックスケース５０は、ベース部５０２が電池ケース３に取り付けられることによって、電池ケース３に固定されている。
【００２８】
図３及び図４に示すように、ベース部５０２は、台座部材３１に固定される。台座部材３１の表面には、所定の位置に複数個の雄ねじ部１３１が上方に突出して設けられている。雄ねじ部１３１は、例えば、台座部材３１に対して、埋め込み、溶接、インサート成形等によって一体に固定することができる。ベース部５０２の下部には、台座部材３１に固定するための複数個の取付け部１５０２が所定の位置にフランジ状となるように設けられている。取付け部１５０２には、雄ねじ部１３１が挿通可能な内径を有する挿通穴２５０２が貫通している。
【００２９】
ベース部５０２は、各雄ねじ部１３１が各挿通穴２５０２に挿通した状態で、台座部材３１に対して位置決めされる。この位置決めされた状態で、すべての雄ねじ部１３１に対して雌ねじ部を有するナット２３１を螺合して締結することにより、電池パックは、ベース部５０２が台座部材３１に固定される固定構造を備える。したがって、ボックスケース５０は、台座部材３１に固定される筐体である。
【００３０】
上記のリレー装置は、その下部の所定の位置に、台座部材３１に固定するための複数個の取付け部５１がフランジ状となるように設けられている。例えば、取付け部５１は、一つのリレー装置について、２個設けられている。リレー装置は、台座部材３１に固定される。台座部材３１の表面には、所定の位置に複数個の雄ねじ部１３２が上方に突出して設けられている。雄ねじ部１３２は、例えば、台座部材３１に対して、埋め込み、溶接等によって一体に固定される。取付け部５１には、雄ねじ部１３２が挿通可能な内径を有する挿通穴１５１が貫通している。
【００３１】
リレー装置は、各雄ねじ部１３２が各挿通穴１５１に挿通した状態で、台座部材３１に対して位置決めされる。この位置決めされた状態で、すべての雄ねじ部１３２に対して雌ねじ部を有するナット２３２を螺合して締結することにより、リレー装置は、台座部材３１に固定されることになる。図４に図示するように、リレー装置は、台座部材３１に固定された状態で、ボックスケース５０とは所定の距離、離間し、ボックスケース５０には接触していない。したがって、電池パックは、リレー装置がボックスケース５０を介することなく台座部材３１に固定される固定構造を有する。
【００３２】
次に、リレー装置、ボックスケース５０の一部であるベース部５０２、及び台座部材３１の位置関係について図７〜図９を参照して説明する。図７は、台座部材３１に固定したジャンクションボックス５の状態を示した平面図である。なお、図７では、ベース部５０２及び台座部材３１に対する、リレー装置、取付け部５１等の位置を見やすくするため、カバー部５０１を取り外した状態を図示している。また、図７において、メインリレー５１０、メインリレー５１１、プリチャージリレー５１２及び各リレー装置の取付け部５１には、見やすくするため、ハッチングを付している。また、図８は、図７の状態からリレー装置を取り外した状態を示している。
【００３３】
ベース部５０２には、メインリレー５１０、メインリレー５１１、プリチャージリレー５１２のそれぞれが配置される収容部５０２１、収容部５０２２、収容部５０２３を所定の位置に備えている。収容部５０２１，５０２２，５０２３は、各リレー装置の外形よりも大きな開口部をなす。上記の固定構造によってメインリレー５１０が台座部材３１に固定された状態では、メインリレー５１０は、収容部５０２１を形成するベース部５０２の一部、すなわち、収容部５０２１を形成する枠部に接触していない。上記の固定構造によってメインリレー５１１が台座部材３１に固定された状態では、メインリレー５１１は、収容部５０２２を形成するベース部５０２の一部、すなわち、収容部５０２２を形成する枠部に接触していない。上記の固定構造によってプリチャージリレー５１２が台座部材３１に固定された状態では、プリチャージリレー５１２は、収容部５０２３を形成するベース部５０２の一部、すなわち、収容部５０２３を形成する枠部に接触していない。
【００３４】
ベース部５０２には、取付け部１５０２、挿通穴２５０２からなる固定機能部が５箇所設けられている。この固定機能部は、台座部材３１に設けられた雄ねじ部１３１に対応する位置に設けられ、リレー装置よりも外側に位置している。すなわち、図７に示すように、固定機能部は、リレー装置の外側を囲むように設けられている。これにより、ボックスケース５０は、その外周縁部の周辺に固定機能部を有して、台座部材３１に強固に固定される。
【００３５】
図８に示すように、収容部５０２１、収容部５０２２、収容部５０２３のそれぞれの内側には、台座部材３１から突出する２個の雄ねじ部１３２が存在する。この２個の雄ねじ部１３２は、各リレー装置の取付け部５１が、各収容部を形成するベース部５０２の一部から離れて接触しない位置に設けられている。２個の雄ねじ部１３２は、各収容部を形成する枠部の内側であって、一端側と他端側で上方に突出する。
【００３６】
図９には、台座部材３１において、それぞれ二点鎖線で囲まれた、高剛性エリア３３Ｈと低剛性エリア３３Ｌとを図示している。図９に示すように、台座部材３１には、複数個の貫通穴３１１Ａと、複数個の貫通穴３１２とが設けられている。貫通穴３１１Ａは、開口部分の表面積が貫通穴３１２よりも小さく設定された穴部であり、流出通路３１１を構成する。
【００３７】
図９のように、ある個数（例えば４個）の貫通穴３１１Ａを設けたエリアと、同じ個数の貫通穴３１２を設けたエリアとでは、各エリアにおける総開口面積は、貫通穴３１２を設けたエリアの方が大きくなる。このように、総開口面積が大きいエリアの方が肉盗み部分が大きいため、強度的に弱いことになる。貫通穴３１２を設けたエリアは低剛性エリア３３Ｌであり、貫通穴３１１Ａを設けたエリアは高剛性エリア３３Ｈである。
【００３８】
したがって、台座部材３１は、複数個の貫通穴３１１Ａ，３１２によって、貫通穴の総開口面積が他のエリアよりも小さい高剛性エリア３３Ｈと、低剛性エリア３３Ｌとを含むように構成される。低剛性エリア３３Ｌは、高剛性エリア３３Ｈよりも剛性が低い他のエリアである。リレー装置、例えば図９に示すメインリレー５１０、メインリレー５１１及びプリチャージリレー５１２は、高剛性エリア３３Ｈに固定される。
【００３９】
メインリレー５１０、メインリレー５１１、プリチャージリレー５１２、プリチャージ抵抗５１３は、電子部品通路５３の所定の位置に配置されている。電子部品通路５３は、ボックスケース５０に形成された複数の通路入口部と一つの通路出口部を有する。電子部品通路５３は、ボックスケース５０内で、入口が複数であり、出口が入口の個数よりも少ない複数の通路を構成する。また、電子部品通路５３は、ボックスケース５０内で、入口が複数であって出口が一つである複数の通路を構成するようにしてもよい。すなわち、各通路入口部は、一つの通路出口部に通じている。各通路入口部は、貫通穴３１１Ａ、すなわち、流出通路３１１に接続されている。
【００４０】
したがって、電池冷却通路３０を流出して流出通路３１１を通過した空気は、各通路入口部から電子部品通路５３に流入する。そして、各通路入口部から流入した空気は、複数の通路を流通し、空気流れが集まるように、入口の個数よりも少ない個数の出口からボックスケース５０の外部へ流出する。
【００４１】
複数の通路入口部は、ボックスケース５０の下部に位置するベース部５０２を貫通する複数の開口部を形成することにより設けられている。例えば、以下、図４に図示するように、メインリレー５１０が設けられる通路の通路入口部は、収容部５０２１である。メインリレー５１１が設けられる通路の通路入口部は、収容部５０２２である。プリチャージリレー５１２が設けられる通路の通路入口部は、収容部５０２３である。
【００４２】
各収容部は、対応するリレー装置の下方に開口する。メインリレー５１０、メインリレー５１１、プリチャージリレー５１２に対応する各収容部は、各リレー装置の外形に対応したサイズ、または外形よりも大きいサイズの開口部である。各リレー装置に対応する収容部は、台座部材３１を貫通して形成された貫通穴３１１Ａ、すなわち流出通路３１１に連通するように設けられている。流出通路３１１には、リレー装置の下方で開口する通路を含む。したがって、複数個のうち流出通路３１１には、リレー装置の下方で開口する通路もあれば、リレー装置の下方から外れた位置に設けられる通路もある。
【００４３】
また、各リレー装置の周囲及び各バスバーの周囲には、収容部５０２１〜５０２３を通過して電子部品通路５３に流入した空気が空気排出部５３０に向かって流れる。図３は、メインリレー５１０が存在する通路を流れてきた空気と他の通路を流れてきた空気とが合流し、空気排出部５３０に向かう流れを形成する電子部品通路５３を示している。バスバー５１０１は、メインリレー５１０と電流センサ５１４とを電気的に接続する導電性部材である。バスバー５１０２は、メインリレー５１０に接続される導電性部材である。
【００４４】
電池冷却通路３０を流通してきた空気は、複数個の流出通路３１１を経て、各収容部５０２１〜５０２３から電子部品通路５３に流入する。当該空気は、電子部品通路５３を流通する過程で各電子部品に接触することで各電子部品及びバスバー５１０１，５１０２等を冷却する。このとき、電子部品通路５３を流通する空気は、ボックスケース５０の内部を下部から上部に向けて流れながら、空気排出部５３０に向かう。そして、冷却後の空気は、送風機６の吸引力にしたがって、空気排出部５３０からボックスケース５０の外部に排出されて、吸込み部に吸い込まれる。
【００４５】
第１実施形態によれば、ジャンクションボックス５は、電池２に関する電流の流れを制御するリレー装置と、リレー装置を内部に収容するボックスケース５０と、を有する。ボックスケース５０は、所定の台座部材３１に固定される筐体である。上記のリレー装置は、ボックスケース５０に接触しないで台座部材３１に固定される。
【００４６】
この構成によれば、リレー装置はボックスケース５０を介さないで台座部材３１に固定され、ボックスケース５０に接触しない状態で固定されることになる。これにより、ボックスケース５０が振動するような状況となった場合でも、この振動はリレー装置には伝わらない。さらに、台座部材３１が振動する状況となった場合でも、リレー装置には台座部材３１を通じて振動が伝わるが、台座部材の振動を受けて振動しうるボックスケース５０から、リレー装置に対して振動は伝搬しない。周囲に振動源となるものがある場合や、ジャンクションボックス５の設置環境が、振動が生じやすい場合でも、リレー装置に伝搬する振動ルートを少なくし、リレー装置が受ける影響を小さくすることができる。台座部材３１の振動がボックスケース５０によって増幅された場合でも、この振動がリレー装置に伝わることを回避できるので、リレー装置の誤動作、破損等を抑止することができる。以上より、内部に収容されるリレー装置の振動を抑制できるジャンクションボックスを提供できる。
【００４７】
また、リレー装置には、電池２の正極側に接続される正極側リレーであるメインリレー５１０、電池２の負極側に接続される負極側リレーであるメインリレー５１１、及びプリチャージ用のプリチャージリレー５１２の少なくとも一つが含まれる。これによれば、リレー装置、ボックスケース５０及び台座部材３１に関わる上記の固定構造により、電池２について、充電及び放電の性能や、プリチャージ時の電池性能を発揮できるシステムを提供することができる。
【００４８】
また、リレー装置は、電池２の正極側に接続される正極側リレー５１０、電池２の負極側に接続される負極側リレー５１１、及びプリチャージ用のプリチャージリレー５１２のすべてを含むことが好ましい。これによれば、電池性能の確保のために重要なリレー装置について、上述したとおり、振動を抑制することができるため、所定の電池性能を発揮できるシステムを提供することができる。
【００４９】
また、台座部材３１は、複数個の貫通穴３１１Ａによって、貫通穴３１１Ａの総開口面積が他のエリアよりも小さい高剛性エリア３３Ｈと、他のエリアに相当し高剛性エリア３３Ｈよりも剛性が低い低剛性エリア３３Ｌとを含むように構成される。さらにリレー装置は、高剛性エリア３３Ｈに固定される。この構成によれば、強度の高い高剛性エリアにリレー装置を固定することにより、リレー装置を台座部材３１のたわみにくい箇所で固定することができる。したがって、この構成によれば、台座部材３１からリレー装置への振動の抑制に貢献できる。
【００５０】
また、貫通穴３１１Ａは、リレー装置を冷却する空気がボックスケース５０の内部に流入するときに通る入口部であることが好ましい。この構成によれば、リレー装置が固定されるエリアに存在する貫通穴３１１Ａから、冷却用の空気を導入することができる。これによれば、リレー装置の周囲を通る冷却用の空気を提供しやすい構造を提供できる。
【００５１】
また、貫通穴３１１Ａは、複数個設けられ、リレー装置の下方で開口する通路であることが好ましい。これによれば、電池冷却通路３０を流れてきた空気を、貫通穴３１１Ａを介してスムーズに電子部品に接触させることができる。また、電池冷却通路３０を流れてきた空気をリレー装置の下面に直接当てることができる。したがって、電池冷却通路３０から電子部品通路５３に移動する際の空気抵抗を抑制することができる。また、当該空気をリレー装置の下部から上部にかけて流すことができるので、リレー装置のほぼ全体に空気を接触させることが可能である。したがって、リレー装置の冷却効果を高める空気流れを形成できる。
【００５２】
ジャンクションボックス５は、電池２に蓄電された電力を走行駆動動力として用いる車両に搭載されることが好ましい。車両は、走行時、停車時等、あらゆる状況で振動の発生源となる要素を備える。このため、上述のような固定構造を有するジャンクションボック５によれば、車両に搭載されるリレー装置が機能を発揮できる寿命を確保するジャンクションボックスを提供できる。
【００５３】
（第２実施形態）
第２実施形態では、第１実施形態のジャンクションボックスの他の形態について図１０〜図１２を参照して説明する。各図において、第１実施形態の図面中と同一符号を付した構成部品は、同様の構成部品であり、同様の作用効果を奏するものである。以下、第１実施形態と相違する内容について説明する。なお、雄ねじ部１３２Ａは、第１実施形態の雄ねじ部１３２に対応する。
【００５４】
第２実施形態のジャンクションボックスは、第１実施形態のジャンクションボックスに対して、台座部材３１Ａが相違する。台座部材３１Ａには、複数個の貫通穴３１１Ｂが所定の位置に設けられている。図１１及び図１２に示すように、貫通穴３１１Ｂは、バーリング加工により台座部材３１Ａに形成された穴部である。このバーリング穴の構成により、貫通穴３１１Ｂが設けられるエリアは、開口部分を有するにもかかわらず、平板状である他のエリアよりも強度が高くなっている。また、貫通穴３１１Ｂは、長穴状に形成されたバーリング穴部である。このバーリング加工は、絞り加工の一例である。
【００５５】
複数個の貫通穴３１１Ａがバーリング穴であることにより、台座部材３１Ａは、絞り加工が施されることにより他のエリアよりも剛性が高い高剛性エリア３３Ｈと、高剛性エリア３３Ｈよりも剛性が低い低剛性エリア３３Ｌとを含むように構成される。したがって、リレー装置は、高剛性エリア３３Ｈに固定されることになる。
【００５６】
この構成によれば、強度の高い高剛性エリアでリレー装置を固定することができるため、台座部材３１Ａがたわみにくく、台座部材３１Ａからリレー装置に伝わる振動を抑制することができる。
【００５７】
また、貫通穴３１１Ａがバーリング穴であることによれば、空気の通り道としての通路と強度向上のための構成とを一つの構造によって同時に獲得することができる。したがって、加工のための工数、形状や寸法管理のための工数を低減することができ、製品コストの観点から優位性の高い台座部材３１Ａを提供することができる。
【００５８】
また、第２実施形態のジャンクションボックスは、第１実施形態のジャンクションボックスに対して、雄ねじ部１３２Ａが相違する。雄ねじ部１３２Ａは、軸部分よりも外形の大きい頭部を有する金属製のボルトで構成される。雄ねじ部１３２Ａは、頭部を台座部材３１Ａの裏側の面に溶接等により一体固定することにより、台座部材３１Ａと一体に設けられる。この構成によれば、金属製の雄ねじ部１３２Ａとナット２３２の螺合、締結構造により、リレー装置が直接的に固定されるため、振動の抑制効果が高い。
【００５９】
（他の実施形態）
以上、本発明の好ましい実施形態について説明したが、本発明は上述した実施形態に何ら制限されることなく、本発明の主旨を逸脱しない範囲において種々変形して実施することが可能である。
【００６０】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６１】
上記実施形態において、各リレー装置を台座部材３１，３１Ａに固定するための構成は、雄ねじと雌ねじによる締結構造であるが、この構造に限定されない。例えば、固定のための構造は、溶接によるもの、かしめ構造によるもの、嵌合構造によるもの等、リレー装置の振動抑制のために一定以上の強度が得られるものであれば、その方式は限定されない。
【００６２】
上記実施形態において、リレー装置はバスバーによって他の部品や端子と電気的に接続されているが、リード線等の配線によって接続される形態でもよい。
【００６３】
上記実施形態では、電池ケース３を下方に、ジャンクションボックス５を上方に位置する姿勢で車両等に配置されているが、この形態に限定されない。例えば、電池パックの設置姿勢は、電池ケース３を上方に、ジャンクションボックス５を下方に位置する姿勢であったり、電池ケース３とジャンクションボックス５とが横方向に並ぶ姿勢であったりしてもよい。
【００６４】
上記実施形態において、送風機６は、電池冷却通路３０及び電子部品通路５３よりも空気流れ下流に位置するように設けられているが、この形態に限定されない。送風機６は、電池冷却通路３０及び電子部品通路５３よりも空気流れ上流に位置する形態でもよい。
【００６５】
第２実施形態において、台座部材３１Ａにはバーリング加工が施されているが、絞り加工の例はこれに限定されない。開示された発明の絞り加工としては、台座部材３１Ａに第１実施形態の貫通穴３１１Ａの周囲に施したような絞りを形成した形態も含まれる。
【００６６】
上記実施形態において、台座部材３１，３１Ａは、電池ケース３の一部であると説明しているが、この形態に限定されない。台座部材３１，３１Ａは、電池ケース３とは別体の部品であり、電池ケース３に一体に設けられる部材であってもよいし、電池ケース３とは離れて設けられる部材であってもよい。
【００６７】
上記実施形態において、送風機６は、パックケース２０の内部に収容されているが、この形態に限定されない。送風機６は、パックケース２０の外部に設けられて、電池冷却通路３０及び電子部品通路５３に対して、空気流れの上流または下流に位置する形態でもよい。
【００６８】
上記実施形態において、電池スタックを構成する複数個の電池２は、電池ケース３の収容空間で、隣接する単電池間に隙間を設けずに接触させた状態で設置される形態でもよいし、電池間に所定の隙間をあけて設置するようにしてもよい。
【符号の説明】
【００６９】
２…電池
５…ジャンクションボックス
３１，３１Ａ…台座部材
３３Ｈ…高剛性エリア
３３Ｌ…低剛性エリア
５０…ボックスケース
３１１，３１２…貫通穴
５１０…メインリレー（リレー装置）
５１１…メインリレー（リレー装置）
５１２…プリチャージリレー（リレー装置）
【図１】
2015012627.tif 000003
【図２】
2015012627.tif 000004
【図３】
2015012627.tif 000005
【図４】
2015012627.tif 000006
【図５】
2015012627.tif 000007
【図６】
2015012627.tif 000008
【図７】
2015012627.tif 000009
【図８】
2015012627.tif 000010
【図９】
2015012627.tif 000011
【図１０】
2015012627.tif 000012
【図１１】
2015012627.tif 000013
【図１２】
2015012627.tif 000014